(57)【要約】【課題】バスケットホルダの開閉時にコーヒーフィルタが浄水フィルタに引っ掛かることを防止しつつ、バスケットの上端周のうち、浄水フィルタとこの通過部分との間隙を狭めることを可能とする。【解決手段】コーヒーメーカーを、湯水パイプ７の吐出口７ａを貯留容器１の上方に支持する背上部８と、吐出口７ａの下方に設けた浄水フィルタ１１と、コーヒー粉末が入ったコーヒーフィルタＦを保持するバスケット９と、このバスケット９を収容した状態で背上部８に対し水平に開閉可能としたバスケットホルダ１０とを備え、浄水フィルタ１１がバスケットホルダ１０の開閉時にバスケット９の背上部８側の上方を通過するようにし、コーヒーフィルタＦがバスケット９内で背上部８側に傾くように構成した。【選択図】図２
2006314447.tif 000002
【特許請求の範囲】
【請求項１】
湯水パイプの吐出口を貯留容器の上方に支持する背上部と、前記吐出口の下方に設けた浄水フィルタと、コーヒー粉末が入ったコーヒーフィルタを保持するバスケットと、このバスケットを収容した状態で前記背上部に対し水平に開閉可能としたバスケットホルダとを備え、前記浄水フィルタが前記バスケットホルダの開閉時に前記バスケットの背上部側の上方を通過するようにし、前記コーヒーフィルタが前記バスケット内で背上部側に傾くようにしたコーヒーメーカー。
【請求項２】
前記バスケットを垂直に対して上向きに外傾する内周面により前記コーヒーフィルタの外周面を支持するように形成し、前記内周面の背上部側を反対側よりも大きく外傾させた請求項１に記載のコーヒーメーカー。
【発明の詳細な説明】
【技術分野】
【０００１】
この発明は、コーヒー粉末入りのコーヒーフィルタを保持させたバスケットの上方からコーヒーフィルタ内のコーヒー粉末に熱湯を注ぎ、抽出されたコーヒー液をバスケットの下端から貯留容器に流下させる形式のコーヒーメーカーに関する。
【背景技術】
【０００２】
従来から、この種のコーヒーメーカーの中には、湯水パイプの吐出口を貯留容器の上方に支持する背上部と、コーヒー粉末が入ったコーヒーフィルタを保持するバスケットと、このバスケットを収容するバスケットホルダとを備えたものがある。
【０００３】
例えば、特許文献１のコーヒーメーカーは、バスケットホルダがバスケットを収容した状態で背上部に対して水平に開閉可能に軸支されており、バスケットを前記吐出口の下方に出し入れさせるようになっている。背上部は、バスケットホルダが閉じ位置にある状態でバスケットの上方を覆う横壁を有する。この横壁は、吐出口を支持するように形成され、この吐出口の下方部分に浄水フィルタが装着されている。吐出口の下方に浄水フィルタが装着されると、浄水フィルタが横壁よりも下方に突出することになる。また、通常、バスケットは、コーヒーフィルタを外し易いようにフィルタ上縁がバスケット上端周からはみ出すようになっている。
【０００４】
【特許文献１】特開２００２−３６０４３４号公報
【発明の開示】
【発明が解決しようとする課題】
【０００５】
しかしながら、特許文献１のようなコーヒーメーカーでは、バスケットを収容した状態でバスケットホルダが背上部に対し水平に開閉されるので、前記浄水フィルタが前記バスケットホルダの開閉時に前記バスケットの背上部側の上方を通過する。このため、バスケットホルダの開閉時、バスケットに保持されたコーヒーフィルタの上縁が浄水フィルタに引っ掛かることのないように、バスケットの上端周と浄水フィルタとの間には、一定の間隙を設ける必要がある。このような間隙は、製品のコンパクト化を妨げる原因となる。
【０００６】
そこで、この発明の目的は、上記の問題点に鑑みて、バスケットホルダの開閉時にコーヒーフィルタが浄水フィルタに引っ掛かることを防止しつつ、バスケットの上端周のうち、浄水フィルタとこの通過部分との間隙を狭めることを可能とするコーヒーメーカーを提供することにある。
【課題を解決するための手段】
【０００７】
上記の目的を達成するため、この発明は、コーヒーメーカーを、湯水パイプの吐出口を貯留容器の上方に支持する背上部と、前記吐出口の下方に設けた浄水フィルタと、コーヒー粉末が入ったコーヒーフィルタを保持するバスケットと、このバスケットを収容した状態で前記背上部に対し水平に開閉可能としたバスケットホルダとを備え、前記浄水フィルタが前記バスケットホルダの開閉時に前記バスケットの背上部側の上方を通過するようにし、前記コーヒーフィルタが前記バスケット内で背上部側に傾くように構成した。
【０００８】
この発明の構成によれば、前記浄水フィルタが前記バスケットホルダの開閉時に前記バスケットの背上部側の上方を通過するようにし、前記コーヒーフィルタが前記バスケット内で背上部側に傾くようにしたので、バスケットの上端周からはみ出すコーヒーフィルタの上縁は、水平に対し背上部側が下がるように傾く。したがって、この構成によれば、この傾きによる下げ幅分だけ、通過する浄水フィルタとコーヒーフィルタの上縁との間の間隙が増加するため、バスケットの上端周と浄水フィルタとの間の間隙を狭めることが可能になる。
【０００９】
具体的には、前記バスケットを垂直に対して上向きに外傾する内周面により前記コーヒーフィルタの外周面を支持するように形成し、前記内周面の背上部側を反対側よりも大きく外傾させた構成を採用することができる。通常、コーヒーフィルタは、コーヒー粉末が入った状態で略逆円錐状に広がるように形成されている。したがって、この構成によれば、コーヒー粉末が入ったコーヒーフィルタは、内周面の背上部側と反対側の傾斜差により、コーヒー粉末の重みで自然に背上部側に傾く。したがって、コーヒーフィルタは、全体として背上部側に傾き、その上縁が背上部側に下がった状態に保持される。
【発明の効果】
【００１０】
上述のように、この発明のコーヒーメーカーは、この傾きによる下げ幅分だけ、通過する浄水フィルタとコーヒーフィルタの上縁との間の間隙が増加するため、バスケットの上端周のうち、浄水フィルタとこの通過部分との間隙を狭めることができる。
【発明を実施するための最良の形態】
【００１１】
以下、この発明の最良の実施形態に係るコーヒーメーカーを添付図面に基づいて説明する。図１は、このコーヒーメーカーの縦断側面を示す。このコーヒーメーカーは、貯留容器１と、この貯留容器１が載置される熱板２を装着した基部３と、基部３の導水口４に差し込まれる水タンク５と、熱板２の下方に取り付けられた電熱ヒータ６と、水タンク４から供給される水を電熱ヒータ６に沿って通す湯水パイプ７と、この湯水パイプ７の吐出口７ａを貯留容器１の上方に支持すると共に水タンク５が係止される背上部８と、コーヒー粉末が入ったコーヒーフィルタを保持するバスケット９と、このバスケット９を収容すると共に吐出口７ａの下方に出し入れさせるためのバスケットホルダ１０とを備える。
【００１２】
電熱ヒータ６で加熱された熱湯は、吐出口７ａからこの下方に設けられた浄水フィルタ１１を通ってバスケット９に保持されたコーヒーフィルタ内のコーヒー粉末に注がれ、コーヒー抽出液がバスケット９の下端に設けられた弁１２を介して貯留容器１に貯められるようになっている。
【００１３】
背上部８は、基部３から立上る縦壁１３と、縦壁１３から前方に延びる横壁１４と、横壁１４の上方を覆うトップカバー１５とを有する。横壁１４は、吐出口７ａを支持すると共に、その下面に浄水フィルタ１１を着脱されるようになっている。
【００１４】
図２（ａ）は、バスケット９の拡大縦断面を示し（図中右側が背上部８側）、図２（ｂ）は、図２（ａ）のｂ−ｂ線の横断面を示す（図中右側が背上部８側）。バスケット９は、図２に示すように、垂直に対して上向きに外傾する側周壁２１の内周面２２により略逆円錐状に広がったコーヒーフィルタＦ（図２（ａ）中に２点鎖線で描く）の外周面を支持するように形成されている。
【００１５】
具体的には、バスケット９は、側周壁２１の下端にコーヒーフィルタＦの底を支える底壁２３が連設された略逆円錐台状に形成されている。底壁２３は、全体として前後に短い楕円状とされており、その前方側に片寄せた位置に弁１２の設置孔２３ａを有する。
【００１６】
側周壁２１は、バスケット９の上端周を構成する上端部２４と、設置孔２３ａの上方の前方膨出部分とを除いて上向きに外傾し、その背上部８側の外傾角αは反対側の外傾角βよりも大きくなっている。このため、バスケット９は、横断面形状が前後に長い楕円状になり、図２（ｂ）中に２点鎖線で対比したように、背上部８側が反対側よりも広い空間となっている。
【００１７】
側周壁２１の内周面２２には、コーヒーフィルタＦの外周面を浮かせるリブ２５が周方向に間隔を空けて複数形成されている。各リブ２５の先端面は、側周壁２１と略同じ傾斜角を有する。
【００１８】
上端部２４は、略垂直に形成されており、その背上部８側に反対側よりも一段下がる切欠部２６を有する。
【００１９】
垂直状態のバスケット９内にコーヒー粉末が入ったコーヒーフィルタＦが設置された場合を考えると、コーヒーフィルタＦの全体は、その底が底壁２３に支えられた状態で、コーヒー粉末の重みにより垂直に対して概ねα−βの外傾角だけ背上部８側に傾く。この状態で、コーヒーフィルタＦの外周面は、内周面２２のリブ２５により浮かされた状態で支持される。このとき、コーヒーフィルタＦの上縁は、背上部８側が切欠部２６よりも上方にはみ出し、反対側が上端部２４よりも下方に位置した状態で上端部２４の内側に接触した状態となるが、背上部８側が水平に対して概ねα−βの下降角に応じて下がる。
【００２０】
上記バスケット９は、図１に示すように、背上部８に対して水平方向に開閉可能とされたバスケットホルダ１０に収容される。このバスケットホルダ１０は、バスケット９を略垂直ないし僅か背上部８側に傾けて保持する上下端開放のホルダ部１６と、後端開放の側壁部１７とを有する。
【００２１】
バスケットホルダ１０は、一端側が背上部８に軸支され、他端側から水平に開閉されるようになっている。図３（ａ）に示すように、バスケットホルダ１０が開き位置にある状態で、ホルダ部１６に収容されたバスケット９が横壁１４の外方に露出するようになっている。また、図３（ｂ）に示すように、バスケットホルダ１０が閉じ位置にある状態で、側壁部１７と背上部８とが閉じ合い、図１に示すように、バスケット９の底壁２３の上方に浄水フィルタ１１が位置するようになっている。
【００２２】
バスケット９とバスケットホルダ１０は、ホルダ部１６にバスケット９を収容した状態で開閉される際、浄水フィルタ１１がバスケット９の背上部８側、つまり切欠部２６の上方を通過するようになっている。このとき、図２（ａ）中に２点鎖線で描いた浄水フィルタ１１とコーヒーフィルタＦの上縁との位置関係から判るように、浄水フィルタ１１は、コーヒーフィルタＦの上縁のうち、下降している背上部８側の上方を通過するようになっている。このため、このコーヒーメーカーは、コーヒーフィルタＦの上縁が浄水フィルタ１１に引っ掛かることを防止することができる。また、このコーヒーメーカーは、バスケット９の上端部２４のうち、背上部８側の切欠部２６と浄水フィルタ１１との間を上記下降量に応じて狭めることができる。
【００２３】
なお、特許文献１のように、バスケットホルダ１０が開き位置にある状態で、バスケット９が背上部８側に傾き、バスケットホルダ１０が閉じ位置にある状態で、バスケット９が起き上がるように構成すると、コーヒーフィルタＦが、バスケット９内に設置された際より確実に背上部８側に傾くようになる。
【図面の簡単な説明】
【００２４】
【図１】実施形態に係るコーヒーメーカーの縦断側面図
【図２】（ａ）図１のバスケットの拡大縦断側面図、（ｂ）図２（ａ）のｂ−ｂ線の断面図
【図３】（ａ）図１のバスケットホルダが開き位置にある状態を示す斜視図、（ｂ）図１のバスケットホルダが閉じ位置にある状態を示す斜視図
【符号の説明】
【００２５】
１  貯留容器
２  熱板
３  基部
４  導水口
５  水タンク
６  電熱ヒータ
７  湯水パイプ
７ａ  吐出口
８  背上部
９  バスケット
１０  バスケットホルダ
１１  浄水フィルタ
１２  弁
１３  縦壁
１４  横壁
１５  トップカバー
１６  ホルダ部
１７  側壁部
２１  側周壁
２２  内周面
２３  底壁
２３ａ  弁設置孔
２４  上端部
２５  リブ
２６  切欠部
Ｆ  コーヒーフィルタ
【図１】
2006314447.tif 000003
【図２】
2006314447.tif 000004
【図３】
2006314447.tif 000005